(57)【特許請求の範囲】
【請求項１】
適宜被搬送物を、搬送ポンプの圧力を利用して搬送管内を送給せしめられるようにした圧送装置であって、搬送管内に長尺回転体を貫挿させると共に、この長尺回転体の先端及び基端部分を搬送管外に設けた支持部で回転自在に夫々支持し、長尺回転体の先端部分を回転自在に支持する支持部に於いて、長尺回転体を先端がわに牽引するように弾発力を付勢せしめるスプリングを設け、長尺回転体の基端部分を搬送管外に設けた駆動回転手段に連結部を介して連結できるように構成し、駆動回転手段の駆動回転力が長尺回転体に伝達されて、長尺回転体が搬送管内で回転するように構成したことを特徴とする被搬送物の圧送装置。
【請求項２】
長尺回転体を、ワイヤー状に形成すると共に、その長手方向に沿って適宜間隔で複数の突起を突設して構成したことを特徴とする請求項１記載の被搬送物の圧送装置。
【請求項３】
搬送管を、接続分離可能な複数の管単体で構成し、長尺回転体を、搬送管に着脱自在に装着できるよう構成したことを特徴とする請求項１または請求項２記載の被搬送物の圧送装置。
【請求項４】
搬送管の先端がわ近傍にエアー送給口を設け、このエアー送給口にエアー送給ホースを接続し、このエアー送給ホースを介してエアーを送給できるよう構成したことを特徴とする請求項１または請求項２または請求項３記載の被搬送物の圧送装置。
【発明の詳細な説明】
【０００１】
【発明の属する技術分野】
本発明は、例えば、セメントに砂と水或いはこれらに砂利等を加えて撹拌混練してなるコンクリート、モルタル等や、芝生、草花等を植生するための緑化用客土に種子等を混入して撹拌される緑化用基盤材等や、その他の適宜被搬送物を、搬送ポンプ等の圧力を利用して搬送管内を送給せしめられるようにした圧送装置に係り、適宜被搬送物が搬送管内をよりスムーズに送給されるように工夫した被搬送物の圧送装置に関するものである。
【０００２】
【従来の技術】
従来、この種の圧送装置にあっては、適宜搬送ポンプ等（例えば、スクイーズポンプ）の圧力を利用して、適宜被搬送物（例えば、コンクリートや、モルタルや、吹付け客土等）を適宜搬送管内に圧送すると共に、搬送管内先端がわに向って送給させるようにしていた。
【０００３】
【発明が解決しようとする課題】
ところが、前述の如き圧送装置にあっては、比較的流動性が悪いような被搬送物を送給する場合、被搬送物が搬送管内をスムーズに送給され難い難点があった。しかも、このような被搬送物に対応するには、例えば、比較的大型の搬送ポンプを採用してその搬送圧力を高くすると共に、その搬送圧力に耐えられるように搬送管を鋼管等で構成するため、圧送装置自体の設置や、運搬や、その取扱い等が不便となる難点があった。
【０００４】
【課題を解決するための手段】
そこで、本発明は、前述の如き難点等を解消すると共に、どのような被搬送物でも搬送管内をスムーズに送給でき、しかも、設置や、運搬や、その取扱い等が容易な圧送装置を提供すべく創出されたもので、請求項１記載の圧送装置は、適宜被搬送物を、搬送ポンプ１の圧力を利用して搬送管２内を送給せしめられるようにした圧送装置であって、搬送管２内に長尺回転体６を貫挿させると共に、この長尺回転体６の先端及び基端部分を搬送管２外に設けた支持部４で回転自在に夫々支持し、長尺回転体６の先端部分を回転自在に支持する支持部４に於いて、長尺回転体６を先端がわに牽引するように弾発力を付勢せしめるスプリング９を設け、長尺回転体６の基端部分を搬送管２外に設けた駆動回転手段５に連結部３を介して連結できるように構成し、駆動回転手段５の駆動回転力が長尺回転体６に伝達されて、長尺回転体６が搬送管２内で回転するように構成する手段を採用した。
【０００５】
また、請求項２記載の圧送装置は、長尺回転体６を、ワイヤー状に形成すると共に、その長手方向に沿って適宜間隔で複数の突起７を突設して構成する手段を採用した。
【０００６】
更に、請求項３記載の圧送装置は、搬送管２を、接続分離可能な複数の管単体２ａで構成し、長尺回転体６を、搬送管２に着脱自在に装着できるよう構成する手段を採用した。
【０００７】
そして、請求項４記載の圧送装置は、搬送管２の先端がわ近傍にエアー送給口１０を設け、このエアー送給口１０にエアー送給ホース１１を接続し、このエアー送給ホース１１を介してエアーを送給できるよう構成する手段を採用した。
【０００８】
【発明の実施の形態】
以下、本発明を図示例について説明すると、次の通りである。
本発明は、例えば、セメントに砂と水或いはこれらに砂利等を加えて撹拌混練してなるコンクリート、モルタル等や、芝生、草花等を植生するための緑化用客土に種子等を混入して撹拌される緑化用基盤材等や、その他の適宜被搬送物を、例えば、スクイーズポンプ等の搬送ポンプ１の圧力を利用して搬送管２内を基端がわから先端がわに向って送給せしめられるようにした被搬送物の圧送装置で、この圧送装置は、搬送管２内に長尺回転体６を貫挿させると共に、この長尺回転体６の先端及び基端部分を搬送管２外に設けた支持部４で回転自在に夫々支持する。そして、長尺回転体６の基端部分を搬送管２外に設けた駆動回転手段５に連結部３を介して連結できるように構成し、駆動回転手段５の駆動回転力が長尺回転体６に伝達されて、長尺回転体６が搬送管２内で回転するように構成したものである。
すなわち、搬送ポンプ１によって搬送管２内に圧送された被搬送物を、駆動回転手段５によって搬送管２内で回転する長尺回転体６によってほぐせるようにして、被搬送物が搬送管２内をよりスムーズに送給されるように構成したものである。
【０００９】
搬送ポンプ１は、例えば、図示例のような回転式のスクイーズポンプ等が利用され、供給される適宜被搬送物を、搬送管２内に連続的に圧送できるように構成されたものが利用される。尚、搬送ポンプ１の具体的構成、形状、寸法、数等は、図示例のもの等に限定されることなく適宜自由に設定できるものである。
【００１０】
搬送管２は、その両端に適宜継手部分が設けられた複数の略円筒状の管単体２ａを備えており、複数の管単体２ａ相互は、接続分離可能に構成されている。すなわち、その不使用時等に搬送管２を複数の管単体２ａに分離しておいて、その運搬や、保管や、メンテナンス等が行い易くなるように構成してある。更に、搬送管２を任意の長さに簡単に設定変更できるように構成してある。しかも、複数の管単体２ａ部分は略直線状に形成され、この連結された複数の管単体２ａの基端がわと搬送ポンプ１の吐出口とを結ぶ部分は、ある程度の傾斜状態に形成されている。また、連結された複数の管単体２ａの先端がわと吐出ノズル１２とを結ぶ部分の一部もある程度の傾斜状態に形成されている。すなわち、長尺回転体６を支持する支持部４を搬送管２外に設け易くしてある。尚、搬送管２の具体的構成、形状、寸法、材質、管単体２ａの具体的構成、形状、寸法、材質、数等は、図示例のもの等に限定されることなく適宜自由に設定できるものである。
【００１１】
連結部３は、駆動回転手段５の回転軸先端部分に設けられており、搬送管２に貫挿された長尺回転体６の基端部分が簡単に、確実に、且つ分離自在に連結できるように構成されている。すなわち、連結部３は、駆動回転手段５の駆動回転力が長尺回転体６に確実に伝達されるよう構成されている。尚、連結部３の具体的構成、形状、寸法、材質等は、図示例のもの等に限定されることなく適宜自由に設定できるものである。
【００１２】
支持部４は、搬送管２の基端がわと先端がわの外部に夫々設けられており、搬送管２の貫挿される長尺回転体６の先端部分と基端部分とを回転自在に支持できるように構成されている。しかも、支持部４にあっては、ある程度の気密性が維持できるように適宜パッキン等が使用されている。更に、長尺回転体６の先端部分を回転自在に支持する支持部４に於いては、長尺回転体６を先端がわに牽引するように弾発力を付勢せしめるコイルスプリング状のスプリング９が設けられており、長尺回転体６を先端がわに常時牽引して、長尺回転体６が撓み難くなるようにし、長尺回転体６がよりスムーズに回転できるように構成されている。ところで、このスプリング９は、長尺回転体６の先端に着脱自在に固定される止具８と支持部４との間に縮装されている。尚、支持部４の具体的構成、形状、寸法、材質、止具８の具体的構成、形状、寸法、材質、スプリング９の具体的構成、形状、寸法、材質等は、図示例のもの等に限定されることなく適宜自由に設定できるものである。
【００１３】
駆動回転手段５は、例えば、ギャードモータ等が使用され、長尺回転体６を確実に且つ円滑に回転せしめられるものが利用される。尚、駆動回転手段５の具体的構成、形状、寸法、配設位置、数等は、図示例のもの等に限定されることなく適宜自由に設定できるものである。
【００１４】
長尺回転体６は、例えば、フレキシブルなワイヤー状に形成されると共に、その長手方向に沿って適宜間隔で複数の比較的小さな突起７を突設して構成されており、搬送管２内に圧送された被搬送物が、長尺回転体６及び突起７によってより確実にほぐされて、搬送管２内を被搬送物が一層スムーズに送給できるように構成されている。尚、長尺回転体６の具体的構成、形状、寸法、材質、突起７の具体的構成、形状、寸法、材質、配設位置、数等は、図示例のもの等に限定されることなく適宜自由に設定できるものである。
【００１５】
ところで、長尺回転体６は、その表面に適宜螺旋状の凸条を設けたり、突起７を螺旋状に配置したりすることによって、長尺回転体６の回転時に、これら凸条や突起７が、被搬送物を搬送管２先端がわに移動せしめるような力を発揮させるように構成しても良い。
【００１６】
図中１０は、搬送管２の先端がわと吐出ノズル１２とを結ぶホース部分の基端部分、或いは、搬送管２の先端部分に設けられるエアー送給口を示し、このエアー送給口１０には、エアー送給ホース１１の先端部分が接続されて、エアー送給ホース１１の基端部分に接続されるエアー送給装置（例えば、コンプレッサー等）から送給されるエアーを吐出ノズル１２がわに送給できるように形成されている。すなわち、搬送管２先端がわのホース部分内にエアーを強制的に送給して被搬送物の搬送をよりスムーズにすると共に、ホース部分内の被搬送物にエアー部分が混ざるようにして、ホース部分に於ける重量を軽くして、作業者が持ち易くなり、作業者の負担を軽減するようにしてある。尚、エアー送給口１０の具体的構成、形状、寸法、配設位置、エアー送給ホース１１の具体的構成、形状、寸法、材質、吐出ノズル１２の具体的構成、形状、寸法、材質等は、図示例のもの等に限定されることなく適宜自由に設定できるものである。
【００１７】
本発明の圧送装置は、前述の如く構成されており、次にその使用例について説明すると、複数の管単体２ａを接続して所望長さの搬送管２を組立てると共に、搬送管２先端がわの支持部４から比較的細いガイドワイヤーを挿通させて、基端がわの支持部４からガイドワイヤーの先端部分を搬送管２外に出しておく。そして、搬送管２基端がわ部分を搬送ポンプ１に接続すると共に、搬送管２先端がわ部分をホース部分を介して吐出ノズル１２に接続する。それから、ガイドワイヤー先端部分に長尺回転体６の先端部分を取付け、ガイドワイヤーを基端がわから適宜巻取具によって巻取ると同時に、長尺回転体６を搬送管２内に貫挿させる。次に、長尺回転体６の基端部分を連結部３に連結させ、長尺回転体６先端がわにスプリング９を縮装させると共に、長尺回転体６先端に止具８を固定して、スプリング９の弾発力が長尺回転体６を先端がわに牽引するように発揮されて、圧送装置が組立てられる。尚、圧送作業が終了した後は、前記組立ての逆を行うことにより、分解して、運搬、保管できるようになる。
【００１８】
【発明の効果】
従って、請求項１記載の圧送装置は、適宜被搬送物を、搬送ポンプ１の圧力を利用して搬送管２内を送給せしめられるようにした圧送装置であって、搬送管２内に長尺回転体６を貫挿させると共に、この長尺回転体６の先端及び基端部分を搬送管２外に設けた支持部４で回転自在に夫々支持し、長尺回転体６の先端部分を回転自在に支持する支持部４に於いて、長尺回転体６を先端がわに牽引するように弾発力を付勢せしめるスプリング９を設け、長尺回転体６の基端部分を搬送管２外に設けた駆動回転手段５に連結部３を介して連結できるように構成し、駆動回転手段５の駆動回転力が長尺回転体６に伝達されて、長尺回転体６が搬送管２内で回転するように構成したので、搬送ポンプ１によって搬送管２内に圧送された被搬送物は、駆動回転手段５によって搬送管２内で回転する長尺回転体６によってほぐされるようになり、搬送管２内を被搬送物がスムーズに送給されるようになる。しかも、搬送ポンプ１での圧力が高くなくても被搬送物を送給できるようになり、比較的小型の搬送ポンプ１を採用できるようになると共に、搬送管２として重量のある鋼管等を利用しなくても済むようになる。ひいては、圧送装置自体の小型コンパクト化、軽量化等が可能となると共に、圧送装置自体の設置や、運搬や、その取扱い等が容易となる。加えて、被搬送物を効率良く送給でき、作業能率が良く、経済的な圧送装置となる。
【００１９】
特に、長尺回転体６の先端部分を回転自在に支持する支持部４に於いて、長尺回転体６を先端がわに牽引するように弾発力を付勢せしめるスプリング９を設けたので、長尺回転体６を先端がわに常時牽引でき、長尺回転体６が撓み難くなって、その回転がスムーズに行えるようになる。
【００２０】
また、請求項２記載の圧送装置は、長尺回転体６を、ワイヤー状に形成すると共に、その長手方向に沿って適宜間隔で複数の突起７を突設して構成したので、搬送ポンプ１によって搬送管２内に圧送された被搬送物は、長尺回転体６及び突起７によってより確実にほぐされるようになり、搬送管２内を被搬送物が一層スムーズに送給されるようになる。
【００２１】
特に、長尺回転体６をワイヤー状に形成したので、長尺回転体６自体がフレキシブルとなり、搬送管２を曲げたときにも対応できるものとなる。
【００２２】
更に、請求項３記載の圧送装置は、搬送管２を、接続分離可能な複数の管単体２ａで構成し、長尺回転体６を、搬送管２に着脱自在に装着できるよう構成したので、比較的長尺となる搬送管２を管単体２ａに分離できると共に、長尺回転体６を搬送管２から取外せるようになり、圧送装置の運搬や、保管や、メンテナンス等が行い易いものとなる。
【００２３】
そして、請求項４記載の圧送装置は、搬送管２の先端がわ近傍にエアー送給口１０を設け、このエアー送給口１０にエアー送給ホース１１を接続し、このエアー送給ホース１１を介してエアーを送給できるよう構成したので、搬送管２先端がわのホース部分内にエアーを強制的に送給できて、被搬送物の搬送がよりスムーズに行えるようになる。また、ホース部分内の被搬送物にエアー部分が混ざるようになり、ホース部分に於ける重量が軽くなって、これを作業者が持ち易くなり、作業者の負担を軽減できるようになる。
【図面の簡単な説明】
【図１】  本発明の被搬送物の圧送装置を例示する一部を省略した概略正面図である。
【図２】  本発明の被搬送物の圧送装置の一部を例示する部分切欠正面図である。
【符号の説明】
１      搬送ポンプ                    ２      搬送管
２ａ    管単体                        ３      連結部
４      支持部                        ５      駆動回転手段
６      メインワイヤー                ７      突起
８      止具                          ９      スプリング
１０    エアー送給口                  １１    エアー送給ホース
１２    吐出ノズル
【図１】
0003718815.tif 000002
【図２】
0003718815.tif 000003